(57)【要約】【課題】簡便で、かつ、安価に提供でき、しかも、単なるツボ刺激に止まらず、自らの運動による血行促進と併せてツボ刺激、マッサージの相乗効果を期待し得る指圧用シートを提供すること。【解決手段】布、樹脂叉はゴム素材からなる柔軟性のあるシートで、所望の大きさ形状をもって成型されたシート本体に、所要寸法の凸状部を人体のツボに対応させて配置し、前記シートに手足の挿入のための挿通部を形成した点に存するものである。【選択図】図１
2004329244.tif 000002
【特許請求の範囲】
【請求項１】
布、樹脂叉はゴム素材からなる柔軟性のあるシートで、所望の大きさ形状をもって成型されたシート本体に、所要寸法の凸状部を人体のツボに対応させて配置し、前記シートに手足の挿入のための挿通部を形成したことを特徴とする指圧用シート。
【請求項２】
人体のツボに対応させて配置する凸状部の大きさを変化させたことを特徴とする請求項１記載の指圧用シート。
【請求項３】
人体のツボに対応させて配置する凸状部に磁気を付与して血行を促進する効果をもたらすことを特徴とする請求項１、２記載の指圧用シート。
【請求項４】
人体のツボに対応させて配置する凸状部を球体により構成し、該球体を任意の方向に微小範囲移動可能としたことを特徴とする請求項１、２および３記載の指圧用シート。
【発明の詳細な説明】
【０００１】
【発明の属する技術分野】
本発明は指圧用シートに関し、詳しくは、使用者が着装して自らの運動による体重負荷を利用することにより首から腰にかけて人体の背部に点在するツボを刺激し、指圧効果をもたらす指圧用シートに関するものである。
【０００２】
【従来の技術】
従来、人体の背部に点在するツボを刺激し、指圧、マッサージを行うための健康促進・治療用シートあるいはマットが多数提唱されている。
【０００３】
例えば、特開平１１−２６６９９６号は熱可塑性樹脂発泡マットの片面に、中実あるいは中空の特定の凸部を形成し配置されたもので、長期の寝たきり状態において生じる床ずれを防止するために、前述の中実あるいは中空の特定の凸部の存在により体重（荷重）を分散せしめることによりこれを回避せんとしてなされたもので、場合によって前記中実あるいは中空の特定の凸部がマッサージ効果を有するものであるとされるが、本来的には床ずれを防止することを目的とするものであるが故に、マッサージあるいは指圧効果を期待することができない。
【０００４】
また、実用新案登録第３０８６１４７号は、複数の断面円形の直棒状体と、ベース部材を備え、前記ベース部材の一面には、ベース部材に沿って間隔を設けて、前記直棒状体が並設固定されたものであって、この直棒状体によって人体の背面における各部の筋肉に刺激を適度に与えることで、指圧効果に加えものであるが、直棒状体であるために人体のツボに適切に作用させることが出来ないために、その効果も期待することが出来ないものである。
【０００５】
さらに、特開２００２−２０９９６３号は、所要形状のマット本体と、該マット本体に配設した空気袋と、該空気袋を膨張、収縮させる給排気装置と、該給排気装置を作動させる所定のスイッチとを少なくとも備えるエアー式マッサージ装置であって、前記空気袋には、凸状に膨張する小袋部が連通して形成され、該小袋部が膨張した時にマット本体上の身体を重点的に押圧できるようにし、マットに設けた空気袋を反復して膨張、あるいは、収縮させてマット上の身体にマッサージを行いうエアー式マッサージ装置であって、マッサージチェア−程でないにしても少し大掛かりのうえ高価なものとなる。
【０００６】
叉、同様に実開平５−４８９６０号は弾性変形可能な背当てベースシートの表面に多数のツボ刺激突起を一体に形成する。このツボ刺激突起は、遠赤外線放射性セラミックス材料を含有して成り、ツボを一層効果的に刺激するもので、上記背当てベースシートの背面の、腰から背にわたる当接部位内にエアバッグを形成し、このエアバッグは膨張収縮自在に形成され、これに手動操作可能なエアー圧入ポンプを連通せしめ、使用者は自分の好みに合わせて手動操作によりエアバッグを作動させる必要があり、その操作の煩わしさを伴なうのみならず、体重が負荷された状態において作動せしめることから、ツボ刺激効果に乏しいものである。
【０００７】
さらにまた、登録実用新案第３０３７８８４号は、布、樹脂シート又はゴムシート等の素材からなる背あてマット本体の表面部に、概ねゴルフボール大の突隆体を収納し得る突隆体収納ポケットを多数設けると共に、該突隆体収納ポケットの一部又は全部に、人体の背部を押圧刺激するための突隆体を適宜選択的に収納し得るよう構成し、該突隆体としてゴルフボールを使用することを可能としたもので、自動車座席等の背もたれ部に取り付ける背もたれシートとして、又単なる敷マットとして、或は着衣の後ろ身ごろ背部として取付使用することにより、人体背部のツボを刺激し指圧効果をもたらす背あてマットに関するもので、指圧効果をより有効に発揮し得るようにしたものであるがイスに固定式であり、運転しない人には使用の機会がすくない。
【０００８】
特開平１０−１４６３７１号は  一つのマッサージ機構を兼用して身体全体を有効にマッサージすることができ、しかも、全体がコンパクトに納まって取り扱いが容易なマッサージ機を提供し、  背部と座部とで椅子本体を構成し、この椅子本体を支持脚体に支持固定してなる椅子型マッサージ機であって、背部及び座部を起倒自在となるように支持脚体に枢支結合し、同背部にマッサージ機構を内蔵してなるが椅子式であり、丸めて収納する本発明ほどコンパクトとはいえない。
【先行技術文献】
【特許文献１】特開平１１−２６６９９６号公報
【特許文献２】実用新案登録第３０８６１４７号公報
【特許文献３】特開２００２−２０９９６３号公報
【特許文献４】実開平５−４８９６０号公報
【特許文献５】登録実用新案第３０３７８８４号公報
【特許文献６】特開平１０−１４６３７１号公報
【０００９】
前述するように従来から提案されている指圧・マッサージの用具・器機にあっては、首や肩こり、背中や腰の痛みの全てには対応できるものと言えず、また、仮に指圧効果が望む位置であっても適切なツボ刺激力を与えるためには格別の作動部材が要求され、複雑な構造となり、高価なものとなる。
【００１０】
叉、固定式であっても指圧効果の機能を持たせたものにあっては、これらは何れも操作が面倒であったり、全体の構成そのものが複雑で大掛かりなものとなっている為、製作コストに問題があるばかりか、人体のツボ全てに適応させる事は不可能なものである。
【００１１】
【発明が解決しようとする課題】
本発明は前述の諸点に鑑み、簡便で、かつ、安価に提供でき、しかも、単なるツボ刺激に止まらず、自らのローリング・ピッチング運動による血行促進と併せてツボ刺激、マッサージの相乗効果を期待し得る指圧用シートを提供することである。
【００１２】
【課題を解決するための手段】
前述の課題を解決するための本発明に係る指圧用シートの構成は、布、樹脂叉はゴム素材からなる柔軟性のあるシートで、所望の大きさ形状をもって成型されたシート本体に、所要寸法の凸状部を人体のツボに対応させて配置し、前記シートに手足の挿入のための挿通部を形成した点に存するものである。
【００１３】
また、指圧用シートの構成として、人体のツボに対応させて配置する凸状部の大きさを変化点に存するものである。
さらに、人体のツボに対応させて配置する凸状部に磁気を付与せしめて血行を促進する効果をもたらすことを特徴とするものである。
さらにまた、人体のツボに対応させて配置する凸状部を球体により構成し、該球体を任意の方向に微小範囲移動可能とした点に存するものである。
【００１４】
【発明の実施の形態】
この発明の一実施形態を、図示に基づき説明すると、１は指圧シート本体を示し、２は指圧シート本体１として柔軟性が要求されることから厚みを有する布、弾力のあるゴムまたは樹脂製シートから構成される基布であり、人体の背部全体を包み込み得る平面寸法とすることが望まれる。この基布２の表面に、凸状部を形成するために、適宜寸法の球体３を人体のツボに相当する位置に対応させて配置し、その上面から前記球体３を止着するカバー４を配し、カバー４の周囲と球体３の周囲を止着し、かくして、基布２の表面にツボ刺激用の凸状部が形成される。
【００１５】
前記球体３は、金属製、木製、ゴム製、樹脂製等種々の材質が採用され得るものであり、ここで言う球体とは、半球、楕円球、真円球等が採用され得るもので、使用時に不快感を与えないようにその寸法を選択し、材質としても過度の刺激を回避することから柔軟な素材、即ち、ゴム製、あるいは、樹脂製のものが望ましいものであるが、これに特定するものではない。
【００１６】
球体３を基布２に配置するに際しては、背骨の位置を避けて、かつ、背骨の両側に位置するように縦方向、さらに、肩部、腰部、臀部の各部において横方向に対してツボに相当する部分に任意のピッチで配設するもので、加えて、前記のツボ部分に対する球体３の寸法を部位に応じて変化せしめ、あるいは、ツボとツボの間に小径の球体３’を適宜に散在させることがマッサージ効果を奏する上で好ましい。
また、球体３、３’として、鋼製のものを使用し、これに磁気を付与せしめ、あるいは、樹脂材料に磁性粉を混入させて磁化せしめることによって、磁気によるマッサージ効果を高めることも可能である。
【００１７】
また、球体３、３’をカバー４により基布２に対して止着するが、基布２およびカバー４として使用する素材によって適宜の手段が採用されるもので、その四周は勿論、球体３、３’の周囲を止着し、球体３、３’の移動を阻止するようにするか、球体３、３’の直径に対して僅かなゆとりを持って止着するもので、特に、後者の場合にあっては、内在する球体３、３’が移動する事による負荷指圧のクッション効果をもたらすものである。
【００１８】
基布２には、基布２を身体の背中部分に装着するため、定位置に手および足に対して基布２を固定する挿通部５および６が設けられ、図示の実施例においては基布２の肩部に相当する位置および足部に相当する位置にそれぞれスリットを穿設して挿通穴５，６としたもので、これに限定されるものでなく、例えば、手足を挿通する紐部材を所定の位置に固定することによって、これに代用させても良い。
前記の挿通穴５，６に手足を挿入することにより、基布２を身体の背面に着装するもので、挿通部として挿通穴５，６を採用することにより、体格差に柔軟に対応でき、また、ツボにずれることなく刺激を与え得ることが出来る。
【００１９】
図４は本発明に係る第２の実施形態を示すもので、先の実施例においては凸状部として球体を用いて構成した例について説明したものであるが、以下の実施例においては基布に直接的に凸状部を形成した例を示すものである。なお、説明の便宜上、同一部分には同一の符号を用いて説明する。
即ち、１０は指圧シート本体を示し、指圧シート本体１０として柔軟性が要求されることから厚みを有する弾力のあるゴムまたは樹脂製シートから構成され、人体の背部全体を包み込み得る平面寸法とすることが望まれる。この指圧シート本体１０に一体的に凸状部１１を、背骨の位置を避けて、かつ、背骨の両側に位置するように縦方向、さらに、肩部、腰部、臀部の各部において横方向に対してツボに相当する部分に任意のピッチとなるように成形したもので、前記凸状部１１は前記のツボ部分に対する寸法、換言すれば、高さおよび形状を部位に応じて変化せしめ、あるいは、ツボとツボの間に小寸法の前記凸状部１１’を適宜に散在させることがマッサージ効果を奏する上で好ましい。
【００２０】
指圧シート本体１０の所定の位置には、前述の実施例と同様に指圧シート本体１０を身体に着装するための手および足を挿通するための挿通穴５および挿通穴６とがそれぞれ穿設されており、手と足の穴に通穴挿入することにより背面でツボにずれることなく刺激を得ることが出来、簡単な穴にしたことで体格差に柔軟に対応できるもので、かつ、フラットな形状にしたため製作は安価で簡単になり、また、畳むなり、巻き込むなど収納に便利である。
【００２１】
前述の構成を有する指圧シートを用いてマッサージを行う場合を第一の実施例に基づいて説明するに、図５に示すように、基布２に穿設した挿通穴６に両足を通し、次いで、挿通穴５に両手を通して指圧シート本体１を背面に着装すると、球体３、３’が背中に散在するツボに当接することになる。この状態において仰臥状態を取り、両膝を屈曲させた体位で、身体を前後方向に揺動運動（所謂、ピッチング運動）をなさしめ、あるいは、横方向の揺動運動（ローリング運動）を、さらには両者の複合運動（ピッチング運動とローリング運動）をなさしめることにより、前記球体３、３’のそれぞれが各部位のツボを刺激することになり、併せて、使用者自身が前述するピッチング運動および／またはローリング運動を行うことから、運動速度の負荷加減によって、適宜の指圧効果を得ることができ、また、その姿勢を維持するための腹筋運動を伴うことから自律調整機能を促進し、かつ、内臓刺激による血液の循環を高めることが期待できる。
【００２２】
また、凸状部としての球体３、３’を基布２に対して微小範囲移動する様に構成することによって、前述する使用者自身のピッチング運動およびローリング運動に伴って、該球体３、３’による押圧位置が移動することとなり、身体の固有差によるツボ位置の相違に対応し得ることが可能となり、あるいは、ツボ部周辺を押圧刺激することとなる。
さらには、前記球体３、３’に磁気を付与させることによりさらにマッサージ効果を増大させることが可能となる。
【００２３】
以上、本発明の実施例を説明したが、これに限定されるものでなく、本発明の思想を逸脱しない範囲において自由に変更しうるものであり、例えば、肩部、腰部、臀部の部位に対応させて凸状部を形成してなるシートを個別に作成し、これを基布に貼着して指圧シートを構成することも可能である。
【００２４】
【発明の効果】
以上の説明から明らかな様に、本発明に係る指圧シートにあっては、必要かつ的確なツボの場所に対して、相応しい力でツボを刺激して快適であるのみならず、自らの体重負荷による指圧とローリング・ピッチング運動との相乗効果で血行が良くなり、より効果的なこり解消を可能とマッサージ効果を奏するものである。
【００２５】
また、シート状にする事により構造が簡便かつ安価に出来上がり、また収納がし易く便利である。
【００２６】
【図面の簡単な説明】
【図１】この発明の表面ツボと手足の入る穴の位置を示す図である。
【図２】図１におけるＩＩ−ＩＩの図である。
【図３】図１におけるＩＩＩ−ＩＩＩ線の図である。
【図４】本発明に係る第２の実施例を示すものである。
【図５】本発明に係る指圧シートを着装して運動の様子を示す図である。
【符号の説明】
１、１０  指圧用シートの本体
２    基布
３    球体
４    カバー
５    手の挿通穴
６    足の挿通穴
１１  凸状部
【図１】
2004329244.tif 000003
【図２】
2004329244.tif 000004
【図３】
2004329244.tif 000005
【図４】
2004329244.tif 000006
【図５】
2004329244.tif 000007